(57)【特許請求の範囲】
【請求項１】
所与のデータを画面上に表示する表示手段を備え、前記画面上に表示されたデータ内で所望の範囲を指定する範囲の指定装置において、
前記データを表示する前記画面上の第１表示領域の中に四角形をなす２つの頂点を設定することにより前記所望の範囲を指定する指定手段と、
前記指定手段により指定された前記所望の範囲を示す前記四角形の４つの頂点の周辺を前記画面上の第１表示領域とは異なる第２表示領域に表示する頂点表示手段と、
を備えたことを特徴とする範囲の指定装置。
【請求項２】
前記表示手段は、前記データを所定の倍率に拡大または縮少して表示する請求項１に記載の範囲の指定装置。
【請求項３】
前記指定手段は、前記２つの頂点を対角線上にもつ四角形を前記所望の範囲に指定する請求項１または２に記載の範囲の指定装置。
【請求項４】
前記指定手段は、前記四角形の１辺をなす２つの頂点を定め、該頂点を結ぶ線分に対向する線分を他の１辺とする四角形を前記所望の範囲に指定する請求項１または２に記載の範囲の指定装置。
【請求項５】
前記データはイメージデータであり、前記所望の範囲は、前記イメージデータを文字認識する認識範囲である請求項１乃至４の何れか１項に記載の範囲の指定装置。
【請求項６】
前記頂点表示手段は、前記第２表示領域における前記頂点の内の何れか１つの第１頂点の移動に応じて、前記頂点の内、前記第１頂点に隣接する頂点を連動させて前記２つの頂点の周辺を表示する請求項１乃至５の何れか１項に記載の範囲の指定装置。
【請求項７】
前記頂点表示手段は、前記第２表示領域における前記頂点の選択に応じて、その選択された前記頂点の周辺を前記第１表示領域内に表示する請求項１乃至６の何れか１項に記載の範囲の指定装置。
【請求項８】
前記頂点表示手段は、前記選択された前記頂点の周辺を前記第１表示領域内に拡大して表示する請求項７に記載の範囲の指定装置。
【請求項９】
所与のデータを画面上に表示し前記画面上に表示された前記データ内で所望の範囲を指定する範囲の指定方法において、
前記データを表示する前記画面上の第１表示領域の中に四角形をなす２つの頂点を設定し、設定した前記２点により前記所望の範囲を指定する第１ステップと、
前記所望の範囲を示す前記四角形の４つの頂点の周辺を前記画面上の第１表示領域とは異なる第２表示領域に表示する第２ステップと、を備えたことを特徴とする範囲の指定方法。
【請求項１０】
前記第１表示領域に表示された前記データを所定の倍率に拡大または縮少して前記第２表示領域に表示するステップを有する請求項９に記載の範囲の指定方法。
【請求項１１】
前記第１ステップは、前記２つの頂点を対角線上にもつ四角形を前記所望の範囲に指定する請求項９または１０に記載の範囲の指定方法。
【請求項１２】
前記第１ステップは、前記四角形の１辺をなす２つの頂点を定め、該頂点を結ぶ線分に対向する線分を他の１辺とする四角形を前記所望の範囲に指定する請求項９または１０に記載の範囲の指定方法。
【請求項１３】
前記データはイメージデータであり、前記所望の範囲は、前記イメージデータの文字認識する認識範囲である請求項９乃至１２の何れか１項に記載の範囲の指定方法。
【請求項１４】
前記第２ステップは、前記第２表示領域における前記頂点の内の何れか１つの第１頂点の移動に応じて、前記頂点の内、前記第１頂点に隣接する頂点を連動させて前記２つの頂点の周辺を表示する請求項９乃至１３の何れか１項に記載の範囲の指定方法。
【請求項１５】
前記第２ステップは、前記第２表示領域における前記頂点の選択に応じて、その選択された前記頂点の周辺を前記第１表示領域内に表示する請求項９乃至１４の何れか１項に記載の範囲の指定方法。
【請求項１６】
前記第２ステップは、前記選択された前記頂点の周辺を前記頂点の周辺を前記第１表示領域内に拡大して表示する請求項１５に記載の範囲の指定方法。
【請求項１７】
所与のデータを画面上に表示する表示手段を備え、前記画面上に表示された前記データ内で所望の範囲を指定する範囲の指定装置で用いられる記録媒体において、
コンピュータを、
前記データを表示する前記画面上の第１表示領域の中に四角形をなす２つの頂点を設定することにより前記範囲を指定する指定手段と、
前記指定手段により指定された前記所望の範囲を示す前記四角形の４つの頂点の周辺を前記画面上の第１表示領域とは異なる第２表示領域に表示する頂点表示手段と、
して機能させるためのプログラムを記録したことを特徴とするコンピュータ読取り可能な記録媒体。
【発明の詳細な説明】
【０００１】
【発明の属する技術分野】
本発明は範囲の指定装置とその方法およびそのための記録媒体に関し、文字（キャラクタ）データや画像（イメージ）データ、特に、スキャナ等により読取ったイメージデータを文字認識する際、そのイメージデータを画面上に表示し、画面上に表示されたイメージデータの表示範囲内で文字認識する範囲を指定する文字認識処理における範囲の指定装置とその方法およびそのための記録媒体に関する。
【０００２】
【従来の技術】
所与のイメージデータを画面上に表示し、画面上に表示したイメージデータの表示範囲内で所望の範囲を指定する範囲の指定装置には、例えば、印刷物をスキャナ等により読取って得られたイメージデータを画面上に表示し、画面上に表示したイメージデータの表示範囲内に４点を設定し、この４点を頂点とする四角形で囲まれる部分を所望の文字認識する範囲に指定するものがある。このような従来技術による文字認識処理における範囲の指定装置の一例を以下に説明する。
【０００３】
図５は従来技術による範囲の指定装置の初期表示画面を示す図であり、図６は従来技術による範囲の指定装置の拡大表示画面を示す図である。図５、６に示す範囲の指定装置は、スキャナ等により読取ったイメージデータを文字認識する機能を有する。イメージデータを文字認識する前に、文字認識する範囲の指定が必要である。例えば、新聞等をスキャナで読取った場合、同じ見出しの記事が複数箇所に点在していることが多いので、このような場合、図５、６に示す範囲の指定装置は、その記事のイメージデータを文字認識する前に、文字認識するイメージデータの範囲を複数箇所指定することが必要である。
【０００４】
図５には、文字情報が主なデータであるＡ４サイズの原稿をスキャナ等により読取って得られたイメージデータが全体を１で示す画面の左上側のイメージ表示領域２に表示されている。画面１の下段には、範囲指定を終了するための「終わる」ボタンと例えば図６に示す拡大表示画面から図５に示す初期表示画面に画面を切替えるための「ひとつ前に戻る」ボタンとを表示したボタンフィールド３および次の操作コマンドを促すコメントを表示するコマンドフィールド４が設けられている。画面１の右上側には、スキャナ等により読取ったイメージデータを文字認識する処理やその前処理としての範囲指定を実行中であることを示すメッセージ「タッチＯＣＲ」を表示する領域５、イメージ表示領域２に表示されるイメージデータの表示範囲内に、複数の範囲、この例では６つの範囲を設定するときに、設定順に選択するボタン「範囲１選択」、…、「範囲６選択」を表示する領域６、範囲指定する際に使用する３つのボタン「範囲削除」、「範囲変更」および「範囲決定」を表示する領域７ならびに図５に示す初期表示画面を図６に示す拡大表示画面に切替えるためのボタン「拡大表示」またはその逆の図６に示す拡大表示画面を図５に示す初期表示画面に切替えるためのボタン「イメージを元の大きさに戻す」を表示する領域８がそれぞれ設けられている。
【０００５】
次に、図５、６に示す範囲の指定装置により範囲指定する操作を説明する。この装置の画面はタッチパネルになっており、画面上をタッチして離すことによりボタン操作ができ、また以下に説明する範囲指定するためのアンカをタッチしたまま画面上の所望の位置まで移動した後離すことによりアンカ位置を移動させることができる。図５に示す初期画面では、イメージ表示領域２にスキャナにより読取られたイメージデータが表示され、ボタン「範囲１選択」、…、「範囲６選択」は「範囲１選択」に選択されている。また、イメージ表示領域２には、範囲を指定するためのアンカと称する黒塗りの四角形のマークＡ１、Ａ２、Ａ３およびＡ４の４点が表示されている。範囲指定は、このアンカＡ１〜Ａ４の何れか１つをタッチしたまま移動して所望の位置で離し、「範囲決定」ボタンをタッチして行う。「範囲決定」ボタンをタッチするとアンカＡ１〜Ａ４は表示画面から消失する。「範囲削除」ボタンは、一度範囲指定を終了した後、すなわち「範囲決定」ボタンをタッチした後、その決定を取り消すためのボタンである。「範囲１選択」の範囲指定が終了した後に「範囲削除」ボタンをタッチすると、初期画面に戻る。
【０００６】
また、一度決定した範囲指定を変更するときは、「範囲変更」ボタンをタッチする。すると、再びアンカＡ１〜Ａ４がイメージ表示領域２に現れるので、上述のようにアンカＡ１〜Ａ４をタッチにより再び移動して指定する範囲を変更した後、「範囲決定」ボタンを再びタッチして変更した範囲を新たな範囲とする範囲の指定が終了する。
【０００７】
上記範囲の指定装置により範囲指定を行う際、図５のイメージ表示領域２に示されるイメージデータの表示は、文字が潰れて操作者にとって読みに難いものとなっており、範囲指定は困難である。それゆえ、図６に示すように所望のアンカＡ３の周辺を拡大表示し、図６のイメージ表示領域２で再びアンカＡ３をタッチして移動し、範囲指定を行っている。
【０００８】
また、図６に示す拡大表示画面は、図５に示す領域６と領域７に代えてイメージ表示領域２に表示するアンカＡ１〜Ａ４周辺をどのアンカＡ１〜Ａ４周辺に切替えて表示するかを決定するための画面を表示する領域９が設けられている。領域９に左上隅、右上隅、右下隅および左下隅と表示された各区画にＡ１’〜Ａ４’で表示されるボタンをタッチすることにより、各ボタンに対応するアンカＡ１〜Ａ４周辺をイメージ表示領域２に拡大して表示することが決定される。
【０００９】
また、図６に示すボタンフィールド３には、「範囲決定」のボタンが表示されている。図６に示すイメージ表示領域２に拡大して表示されるアンカＡ１、Ａ２、Ａ３またはＡ４をタッチにより移動して指定する範囲を決定した後、この「範囲決定」のボタンをタッチすることにより範囲指定は終了する。
【００１０】
【発明が解決しようとする課題】
しかしながら、上記図５、６に示す範囲の指定装置では、範囲指定を行って、範囲を決定するときに、１つのアンカのみを拡大して表示し、他の３つのアンカを同時に同一画面上に表示しない。したがって、範囲指定が所望の範囲に正しく設定できたか否かを確認するためには、イメージ表示領域２に４つのアンカＡ１〜Ａ４周辺の画面を１つづつ切替えて表示する必要があり、操作性が悪く操作に時間を要するという問題がある。
【００１１】
それゆえ、本発明は上記問題を解決し、操作性がよく操作時間を節約することのできる範囲の指定装置とその方法およびそのための記録媒体を提供することを目的とする。
【００１２】
【課題を解決するための手段】
上記問題を解決する本発明による範囲の指定装置は、所与のデータを画面上に表示する表示手段を備え、前記画面上に表示された前記データ内で所望の範囲を指定する範囲の指定装置において、前記データを表示する前記画面上の第１表示領域の中に四角形をなす２つの頂点を設定することにより前記所望の範囲を指定する指定手段と、前記指定手段により指定された前記所望の範囲を示す前記四角形の４つの頂点の周辺を前記画面上の第１表示領域とは異なる第２表示領域に表示する頂点表示手段と、を備えたことを特徴とする。
【００１３】
上記構成により、前記四角形の頂点の内、前記指定手段により設定した少なくとも２つの頂点の内、選択した１つの頂点の周辺毎に画面切替えして別々に表示せずに、前記頂点表示手段により指定された前記所望の範囲を示す前記四角形の４つの頂点の周辺を前記画面上の前記第１表示領域とは異なる前記第２表示領域に同時に表示するので、指定した範囲の確認を確実にでき、範囲の指定の操作性が向上する。
【００１４】
本発明による範囲の指定装置において、前記表示手段は前記データを所定の倍率に拡大または縮少して表示する。
本発明による範囲の指定装置において、前記指定手段は、前記２つの頂点を対角線上にもつ四角形を前記所望の範囲に指定する。
本発明による範囲の指定装置において、前記指定手段は、前記四角形の１辺をなす２つの頂点を定め、該頂点を結ぶ線分に対向する線分を他の１辺とする四角形を前記所望の範囲に指定する。
【００１５】
本発明による範囲の指定装置において、前記データはイメージデータであり、前記所望の範囲は、前記イメージデータを文字認識する認識範囲である。
本発明による範囲の指定装置において、前記頂点表示手段は、前記第２表示領域における前記頂点の内の何れか１つの第１頂点の移動に応じて、前記頂点の内、前記第１頂点に隣接する頂点を連動させて前記２つの頂点の周辺を表示する。
【００１６】
本発明による範囲の指定装置において、前記頂点表示手段は、前記第２表示領域における前記頂点の選択に応じて、その選択された前記頂点の周辺を前記第１表示領域内に表示する。この表示は拡大表示してもよい。
上記問題を解決する本発明による範囲の指定方法は、所与のデータを画面上に表示し前記画面上に表示された前記データ内で所望の範囲を指定する範囲の指定方法において、前記データを表示する前記画面上の第１表示領域の中に四角形をなす２つの頂点を設定し、設定した前記２点により前記所望の範囲を指定する第１ステップと、前記所望の範囲を示す前記四角形の４つの頂点の周辺を前記画面上の第１表示領域とは異なる第２表示領域に表示する第２ステップと、を備えたことを特徴とする。
【００１７】
上記構成により、前記四角形の頂点の内、前記第１ステップにおいて設定した少なくとも２つの頂点の内、選択した１つの頂点の周辺毎に画面切替えして別々に表示せずに、前記第２ステップにおいて、前記所望の範囲を示す前記四角形の４つの頂点の周辺を前記画面上の第１表示領域とは異なる前記第２表示領域に同時に表示するので、指定した範囲の確認を確実にでき、範囲の指定の操作性が向上する。
【００１８】
本発明の範囲の指定方法において、前記第１表示領域に表示された前記データを所定の倍率に拡大または縮少して前記第２表示領域に表示するステップを有する。
本発明による範囲の指定方法において、前記第１ステップは、前記２つの頂点を対角線上にもつ四角形を前記所望の範囲に指定する。
【００１９】
本発明による範囲の指定方法において、前記第１ステップは、前記四角形の１辺をなす２つの頂点を定め、該頂点を結ぶ線分に対向する線分を他の１辺とする四角形を前記所望の範囲に指定する。
本発明による範囲の指定方法において、前記データはイメージデータであり、前記所望の範囲は、前記イメージデータの文字認識する認識範囲である。
本発明による範囲の指定方法において、前記第２ステップは、前記第２表示領域における前記頂点の内の何れか１つの第１頂点の移動に応じて、前記頂点の内、前記第１頂点に隣接する頂点を連動させて前記２つの頂点の周辺を表示する。
【００２０】
本発明による範囲の指定方法において、前記第２ステップは、前記第２表示領域における前記頂点の選択に応じて、その選択された前記頂点の周辺を前記第１表示領域内に表示する。この表示は拡大表示してもよい。
上記問題を解決する本発明による範囲の指定装置で用いられるコンピュータ読取り可能な記録媒体は、所与のデータを画面上に表示する表示手段を備え、前記画面上に表示された前記データ内で所望の範囲を指定する範囲の指定装置で用いられる記録媒体において、コンピュータを、前記データを表示する前記画面上の第１表示領域の中に四角形をなす２つの頂点を設定することにより前記範囲を指定する指定手段と、前記指定手段により指定された前記所望の範囲を示す前記四角形４つの頂点の周辺を前記画面上の第１表示領域とは異なる第２表示領域に表示する頂点表示手段と、して機能させるためのプログラムを記録したことを特徴とする。
【００２１】
【発明の実施の形態】
以下、添付図面を参照しつつ本発明の実施の形態を詳細に説明する。
図１は本発明による範囲の指定装置のブロック構成図である。図１に示す範囲の指定装置は、スキャナ等により読取られたイメージデータを文字認識する際、そのイメージデータを画面上に表示し、画面上に表示されたイメージデータの表示範囲内で文字認識する範囲を指定する文字認識処理を行う機能を有する。図１に示すように、本装置はＣＰＵ３０を有するコンピュータシステムであり、ＣＰＵ３０は、バスライン３１を介して、システム全体を制御するプログラムや本発明による範囲指定を実行するためのプログラム等を格納したＲＯＭ３２、システムに必要なデータや入出力データ等を一時格納するＲＡＭ３３およびＩ／Ｏインターフェース３４に接続されている。Ｉ／Ｏインターフェース３４には、イメージデータ等を画面表示するＣＲＴ３５、プリンタ３６、文字情報や画像情報を読取るスキャナ３７、キーボード３８、ＣＲＴ３５の画面上に配置されタッチした画面の位置データを検出するタッチパネル３９、フロッピディスクドライブ４０および通信網を介して外部のコンピュータに接続するモデム４１がそれぞれのケーブルを介して接続されている。
【００２２】
図１を用いて本発明の記録媒体に記録されたプログラムの処理について以下簡単に説明する。本発明の範囲の指定装置は、図１全体で示す計算機システムにより構成される。本計算機システムには、フロッピーディスクのような可搬型の記録媒体（図示せず）の読取装置、すなわちフロッピディスクドライブ４０が設けられている。フロッピディスクドライブ４０の代わりにＣＤ−ＲＯＭの読取装置を設けてもよい。所定の操作によりフロッピーディスク等の可搬型の記録媒体に記録された本発明による指定手段と頂点表示手段としてコンピュータを機能させるためのプログラムを、その読取装置を介して読取り、ＲＡＭ３３にローディングする。もちろん、オペレータが計算機システムのＲＡＭ３３にキーボード３８等の入力手段を介して直接上記プログラムを書き込んだ後に、そのプログラムをＲＡＭ３３に格納してもよい。あるいは、他のクライアントの計算機システム（図示せず）等に設置された記録媒体としての例えばＲＡＭ（図示せず）に格納された上記プログラムを、ネットワーク（通信回線）、モデム４１を介して本計算機システムのＲＡＭ３３にローディングする。その後、ＲＡＭ３３に格納されたプログラムは、計算機システムのＣＰＵ３０の処理により必要に応じて実行される。また、プログラムは予めＲＯＭに記録され、そのプログラムをＲＯＭ３２から読出してＣＰＵ３０により実行されるものでもよい。
【００２３】
次に、本発明による範囲指定について以下に説明する。
図２は本発明による範囲の指定装置の表示画面の第１具体例を示す図であり、図３は本発明による範囲の指定装置の表示画面の第２具体例を示す図である。図２、３に示す範囲の指定装置は、スキャナ３７で読取ったイメージデータを文字認識する機能を有する。スキャナ３７で読取った原稿のイメージデータを文字認識する前に、文字認識するイメージデータの範囲を少なくとも１箇所指定する範囲の指定が要求される。
【００２４】
図２には、文字情報が主なデータであるＡ４サイズの原稿をスキャナ３７で読取って得られたイメージデータが全体を１１で示す画面の左上側のイメージ表示領域（第１表示領域）１２に表示されている。画面１１の下段には、ボタンフィールド１３とコマンドフィールド１４が設けられている。ボタンフィールド１３には、範囲指定を終了するための「終わる」ボタンと例えば図３に示すようなひとつ前の表示画面に画面を切替えるための「ひとつ前に戻る」ボタンと後述する「範囲追加」ボタンと「認識開始」ボタンとが表示されており、これらのボタンはタッチパネルによりタッチで操作でき、またはキーボードによりカーソル移動とエンターキーで操作できる。コマンドフィールド１４には、次の操作コマンドを促すコメントが表示される。
【００２５】
画面１の右上側には、範囲指定の実行中であることを示すメッセージ「範囲指定：赤枠」または範囲確認の実行中であることを示すメッセージ「範囲確認：緑枠」を表示する領域１５、イメージ表示領域１２に表示されるイメージデータの表示範囲内に、複数の範囲を指定するときに、指定順に表示される赤枠や緑枠を表示する領域１６、範囲指定する際に使用する３つの操作ボタン「範囲削除」、「範囲変更」および「範囲決定」を表示する領域１７、イメージ表示領域１２に表示されるアンカＡ１〜Ａ４の各周辺４つの区域をそれぞれ同一倍率で表示するプレビュー表示領域（第２表示領域）１９ならびにスキャナで読取って得られたイメージデータをイメージ表示領域１２に表示する際の倍率を切替え容易に視覚的に示した切替ボタン１８−１、１８−２、１８−３を表示する領域１８がそれぞれ設けられている。切替ボタン１８−１は、スキャナで読取った原稿の文字サイズを原稿全体がイメージ表示領域１２に表示されるように上記倍率を選択するボタンであり、切替ボタン１８−２はスキャナで読取った原稿の文字サイズを同一サイズでイメージ表示領域１２に表示するよう上記倍率を選択するボタンであり、切替ボタン１８−３はスキャナで読取った原稿の文字サイズを２倍に拡大してイメージ表示領域１２に表示するよう上記倍率を選択するボタンである。
【００２６】
次に、図２、３に示す範囲の指定装置により範囲指定する操作を説明する。
この装置の画面はタッチパネルになっており、画面上をタッチして離すことによりボタン操作ができ、また以下に説明する範囲指定に用いられるアンカをタッチしたまま画面上の所望の位置まで移動した後そのタッチを解除することによりアンカ位置を移動させることができる。また、アンカの移動はキーボードにより、カーソル移動キーとエンターキーの操作によっても可能である。
【００２７】
図２に示す画面では、イメージ表示領域１２内にスキャナにより読取られたイメージデータが表示され、領域１６には範囲指定の完了を示す赤枠１６−１と範囲指定が実行中である、すなわち範囲の確認中を示す緑枠１６−２が表示されている。また、イメージ表示領域１２には、範囲を指定するためのアンカと称する黒塗りの正方形のマークＡ１、Ａ２、Ａ３およびＡ４の４点が表示されている。プレビュー表示領域１９には、イメージ表示領域１２におけるアンカＡ１〜Ａ４の各周辺４つの区域が表示される。プレビュー表示領域１９において、アンカＡ１’〜Ａ４’は、それぞれイメージ表示領域１２におけるアンカＡ１〜Ａ４に対応する。範囲指定は、このアンカＡ１〜Ａ４の何れか１つをタッチしたまま移動して所望の位置で離し、「範囲決定」ボタンをタッチして行う。「範囲決定」ボタンをタッチするとアンカＡ１〜Ａ４およびアンカＡ１’〜Ａ４’は表示画面から消失する。「範囲削除」ボタンは、一度範囲指定を終了した後、すなわち「範囲決定」ボタンをタッチした後、その決定を取り消すために使用するボタンである。範囲指定が終了した後に「範囲削除」ボタンをタッチすると、１つ前の画面に戻る。
【００２８】
また、一度決定した範囲指定を変更するときは、「範囲変更」ボタンをタッチする。すると、再びアンカＡ１〜Ａ４がイメージ表示領域１２に現れ、アンカＡ１’〜Ａ４’がプレビュー表示領域１９に現れるので、上述のようにアンカＡ１〜Ａ４をタッチにより再び移動して指定する範囲を変更した後、「範囲決定」ボタンを再びタッチして変更した範囲を新たな範囲とする範囲の指定を終了する。
【００２９】
上記範囲の指定装置により範囲指定を行う際、図２のイメージ表示領域１２に示されるイメージデータの表示は、文字が潰れて操作者にとって読みに難いものとなっており、イメージ表示領域１２に示される表示だけでは範囲指定は困難であるが、イメージ表示領域１２のアンカＡ１〜Ａ４の各周辺４つの区域をユーザが視認可能な状態でプレビュー表示領域１９に同時に表示し、このプレビュー表示領域１９を観ながらイメージ表示領域１２におけるアンカＡ１〜Ａ４の何れか１つをタッチして移動しそのタッチを解除することにより、簡単に範囲指定を行うことができる。
【００３０】
また、本装置は、図３に示すプレビュー表示領域１９に表示するアンカＡ１’〜Ａ４’周辺の内、何れか１つのアンカＡ１’〜Ａ４’の周辺をイメージ表示領域１２内に拡大して表示することもできる。これは、図３のプレビュー表示領域１９に示される４分割された何れかの区域をタッチすることによりタッチした区域に対応するアンカＡ１〜Ａ４の内何れか１つの周辺をイメージ表示領域１２に拡大して表示する（図示せず）ものである。
【００３１】
次に、アンカの連動について図２を用いて説明する。イメージ表示領域１２に表示するアンカＡ１〜Ａ４は、画面１１のＸ−Ｙ直交座標系の位置データ（ｘ１，ｙ１）、（ｘ２，ｙ２）、（ｘ３，ｙ３）および（ｘ４，ｙ４）をそれぞれ有する。これらアンカＡ１〜Ａ４は、互いに隣接するアンカ同志間で連動するようになっており、かつ指定する範囲を決定するアンカＡ１〜Ａ４で囲まれる枠は、各辺がＸ軸またはＹ軸に並行な四角形である。したがって、上記アンカの位置データは、（ｘ１，ｙ１）、（ｘ２，ｙ１）、（ｘ２，ｙ２）および（ｘ１，ｙ２）と表される。例えば、アンカＡ３がＸ軸およびＹ軸方向に移動してその位置データが（ｘ１２，ｙ１２）に変化すると、これと連動してアンカＡ３に隣接するアンカＡ２の位置データは（ｘ１２，ｙ１）に変化し、同アンカＡ４の位置データは（ｘ１，ｙ１２）に変化する。
【００３２】
本装置は、このようにアンカの連動が行われるように設けられているので、四角形の対角線上の頂点が２つ定まれば、範囲を指定することができる。
本装置はまた、四角形の１つの辺、すなわち上辺、下辺、右辺または左辺をなす２つ頂点を定め、上辺の下側、下辺の上側、右辺の左側または左辺の右側を他の１辺とする四角形の領域を範囲に指定することもできる。
【００３３】
次に、図３に示すボタンフィールド１３に表示される「範囲追加」と「認識開始」のボタンについて説明する。「範囲追加」のボタンは、上述した操作により指定する範囲を決定した後、指定する範囲を追加したいときにタッチするボタンであり、タッチすることによりもう１つの範囲指定を開始することができる。「認識開始」ボタンは、「範囲追加」と範囲指定の操作を繰り返し、必要な範囲が全て指定された後にタッチするボタンであり、タッチすることにより指定範囲毎に指定された範囲の文字認識が開始される。文字認識されたイメージデータは指定範囲毎にファイルで保存される。
【００３４】
図４は本発明に係る範囲の指定装置の操作手順を示すフローチャートである。先ず、ステップ４０１では、文字認識する原稿をスキャナで読取りイメージデータを作成する。ステップ４０２では、スキャナで読取ったイメージデータを領域１８に表示される表示サイズ切替ボタンで選択された倍率にしたがってイメージ表示領域１２に表示する。ステップ４０３では、イメージ表示領域１２のアンカＡ１〜Ａ４の位置データを読取る。ステップ４０４では、ステップ４０３で読取ったアンカＡ１〜Ａ４の位置データに基づきプレビュー表示領域１９に同一倍率で表示するアンカＡ１〜Ａ４周辺のイメージデータの範囲を計算し、計算した範囲のイメージデータをＲＡＭに格納する。
【００３５】
ステップ４０５では、ステップ４０４でＲＡＭに格納したイメージデータをプレビュー表示領域１９に表示する。ステップ４０６では、図２、図３を用いて説明したように、スキャナで読取ったイメージデータのイメージ表示領域１２内における文字認識する範囲の指定に応じて、指定された範囲のイメージデータをＲＡＭに一時格納する。ステップ４０７では、ＲＡＭに格納されたイメージデータを文字認識し、文字認識した文字データをＲＡＭに格納する。
【００３６】
以上説明した本発明による範囲の指定装置の実施形態では、文字認識する範囲を指定する場合を例にとって説明したが、本発明はこれに限定されるものでなく、文字情報や画像情報の範囲を指定するために利用できる。
【００３７】
【発明の効果】
以上説明したように、本発明によれば、範囲を指定する四角形の頂点の内、頂点表示手段により、４つの頂点の周辺を画面上に同時に表示するので、指定した範囲の確認を確実にでき、範囲の指定の操作性を向上でき、操作時間が短縮できる。
【図面の簡単な説明】
【図１】本発明による範囲の指定装置のブロック構成図である。
【図２】本発明による範囲の指定装置の表示画面の第１具体例を示す図である。
【図３】本発明による範囲の指定装置の表示画面の第２具体例を示す図である。
【図４】本発明に係る範囲の指定装置の操作手順を示すフローチャートである。
【図５】従来技術による範囲の指定装置の初期表示画面を示す図である。
【図６】従来技術による範囲の指定装置の拡大表示画面を示す図である。
【符号の説明】
１１…画面
１２…イメージ表示領域
１９…プレビュー表示領域
３０…ＣＰＵ
３２…ＲＯＭ
３３…ＲＡＭ
３４…Ｉ／Ｏインターフェース
３５…ＣＲＴ
３７…スキャナ
３８…キーボード
３９…タッチパネル
４０…フロッピディスクドライブ
【図１】
0003805110.tif 000002
【図２】
0003805110.tif 000003
【図３】
0003805110.tif 000004
【図４】
0003805110.tif 000005
【図５】
0003805110.tif 000006
【図６】
0003805110.tif 000007